(57)【要約】【課題】  ユーザが所望する画像サイズに応じた最適なズームポジションに、簡単、かつ、短時間にセッティングできるプロジェクター装置を安価に提供することを目的とする。【解決手段】  プロジェクター装置１から投射面２までの距離を測定する距離測定手段６と、入力手段５に入力された画面サイズと距離測定手段６により測定された距離の値から、入力された画面サイズに投影するためのズームレンズ３１のズームポジションを演算する演算手段７と、この演算手段７により演算されたズームポジションを報知するズームポジション報知手段８とから構成する。【選択図】図１
2008309891.tif 000002
【特許請求の範囲】
【請求項１】
投射面に映像を投射する投射レンズ機構と、この投射レンズ機構を介して前記投射面に映像を表示する表示手段と、前記投射面に投射される映像の画面サイズを入力する入力手段とを備え、前記投射レンズ機構は、ズームレンズと、このズームレンズのズームポジションを調整するズームポジション調整手段とから構成したプロジェクター装置において、
前記プロジェクター装置から前記投射面までの距離を測定する距離測定手段と、前記入力手段に入力された画面サイズと前記距離測定手段により測定された前記距離の値から、前記入力された画面サイズに投影するための前記ズームレンズのズームポジションを演算する演算手段と、この演算手段により演算されたズームポジションを報知するズームポジション報知手段とを、更に備えたことを特徴とするプロジェクター装置。
【請求項２】
前記ズームポジション調整手段は、前記ズームレンズを移動させる際の目盛りを更に備え、前記ズームポジション報知手段は、前記演算手段で演算された前記ズームポジションを、前記目盛りの位置で報知することを特徴とする請求項１に記載のプロジェクター装置。
【請求項３】
前記ズームポジション報知手段は、前記目盛りの位置を、音で報知することを特徴とする請求項２に記載のプロジェクター装置。
【請求項４】
前記音は、前記目盛りの位置を、音声で報知することを特徴とする請求項３に記載のプロジェクター装置。
【請求項５】
前記音は、前記目盛りの位置を、音の回数で報知することを特徴とする請求項３に記載のプロジェクター装置。
【請求項６】
前記ズームポジション報知手段は、前記演算手段で演算されたズームポジションを、前記投射面に、画像情報で表示して報知することを特徴とする請求項１または請求項２に記載のプロジェクター装置。
【請求項７】
前記目盛りは、光源を更に備え、前記ズームポジション報知手段は、前記演算手段で演算されたズームポジションを、前記目盛りの対応する位置の光源を点灯および／または点滅して報知することを特徴とする請求項２に記載のプロジェクター装置。
【発明の詳細な説明】
【技術分野】
【０００１】
本発明は、プロジェクター装置に関し、特に、ユーザが所望する画像サイズに応じた最適なズームポジションに、簡単、かつ、短時間にセッティングできるようにしたものである。
【背景技術】
【０００２】
近年、画面の大型化が進み、直視型モニターに比較して大型化が容易な映像を表示する装置として、スクリーンなどの投射面に、映像を投射する投射型のプロジェクター装置が開発された。また、このようなプロジェクター装置は、移動することが容易なことから、様々な場所で利用される傾向にある。
【０００３】
従来、この種プロジェクター装置では、例えば、希望する画面サイズを入力すれば、プロジェクター装置とからスクリーンまでの距離を計測し、この計測結果に基づいて、ズームレンズをズーム駆動モータにより、自動的に移動するようにしたものがある(例えば、特許文献１、特許文献２参照、特許文献３参照）。
【特許文献１】特開平５−３２３４５１号公報
【特許文献２】特開平１１−９５３２４号公報
【特許文献３】特開平３−２１５８４１号公報
【発明の開示】
【発明が解決しようとする課題】
【０００４】
しかし、前述の特許文献１乃至特許文献３記載の構成では、何れもズームレンズを自動的に移動するためにズーム駆動モータやズームレンズのポジションを検出するレンズポジション検出手段を必要とし、この種プロジェクター装置が大型化し、移動性に欠ける傾向にある。しかも、ズーム駆動モータやレンズポジション検出手段を必要とすること、およびこれらを制御するための制御手段が別途必要となり、勢い、装置構成が煩雑となり、価格が高騰するなどいった問題があった。
【０００５】
本発明は、上述した問題を解決するためになされたものであり、ユーザが所望する画像サイズに応じた最適なズームポジションに、簡単、かつ、短時間にセッティングできるプロジェクター装置を安価に提供することを目的とする。
【課題を解決するための手段】
【０００６】
かかる目的を達成するため、本発明では、投射面に映像を投射する投射レンズ機構と、この投射レンズ機構を介して投射面に映像を表示する表示手段と、投射面に投射される映像の画面サイズを入力する入力手段とを備え、投射レンズ機構は、ズームレンズと、このズームレンズのズームポジションを調整するズームポジション調整手段とから構成したプロジェクター装置において、プロジェクター装置から投射面までの距離を測定する距離測定手段と、入力手段に入力された画面サイズと距離測定手段により測定された距離の値から、入力された画面サイズに投影するためのズームレンズのズームポジションを演算する演算手段と、この演算手段により演算されたズームポジションを報知するズームポジション報知手段とから構成する。
【０００７】
この構成によれば、プロジェクター装置を希望する場所に設置し、入力手段から所望の画像サイズを入力すれば、自動的にプロジェクター装置から投射面までの距離を距離測定手段により測定し、この測定された距離の値から、演算手段は、入力された画面サイズに投影するためのズームレンズのズームポジションを演算し、ズームポジション報知手段からズームレンズのズームポジションが報知される。従って、ユーザは、この報知されたポジションにズームレンズが移動するように、ズームポジション調整手段を調整すれば、ユーザが所望する画像サイズに応じた最適なズームポジションに、簡単、かつ、短時間にセッティングできる。しかも、従来のような、ズーム駆動モータやレンズポジション検出手段を必要としないので、その構成は、極めてシンプルで、小型化が可能となり、また、ズーム駆動モータやレンズポジション検出手段を制御するための制御手段が必要でないことから、この種プロジェクター装置を安価にすることができる。
【０００８】
また、本発明においては、ズームポジション調整手段は、ズームレンズを移動させる際の目盛りを更に備え、ズームポジション報知手段は、演算手段で演算されたズームポジションを、目盛りの位置で報知する。この構成によれば、ユーザは、単に、ズームポジション報知手段から報知された目盛りに、ズームポジション調整手段を調整すれば良く、その操作は、極めて簡単である。
【０００９】
また、本発明においては、ズームポジション報知手段は、目盛りの位置を、音で報知するする。この構成によれば、ユーザは、単に、ズームポジション報知手段から音で報知された目盛りに、ズームポジション調整手段を調整すれば良く、その操作は、極めて簡単である。
【００１０】
また、本発明においては、目盛りの位置を、音声で報知する。この構成によれば、ユーザは、単に、ズームポジション報知手段から音声で報知された目盛りに、ズームポジション調整手段を調整すれば良く、その操作は、極めて簡単である。
【００１１】
また、本発明においては、目盛りの位置を、音の回数で報知する。この構成によれば、ユーザは、単に、ズームポジション報知手段から音の回数で報知された目盛りに、ズームポジション調整手段を調整すれば良く、その操作は、極めて簡単である。
【００１２】
また、本発明においては、ズームポジション報知手段は、演算手段で演算されたズームポジションを、投射面に、画像情報で表示して報知する。この構成によれば、ユーザは、単に、投射面に表示された画像情報に基づいて、ズームポジション調整手段を調整すれば良く、その操作は、極めて簡単である。
【００１３】
更に、本発明においては、目盛りは、光源を更に備え、ズームポジション報知手段は、演算手段で演算されたズームポジションを、目盛りの対応する位置の光源を点灯および／または点滅して報知する。この構成によれば、ユーザは、単に、目盛りの光源が点灯および／または点滅している位置に、ズームポジション調整手段を調整すれば良く、その操作は、極めて簡単である。
【発明の効果】
【００１４】
本発明によれば、ユーザが所望する画像サイズに応じた最適なズームポジションに、簡単、かつ、短時間にセッティングできるようにした、安価なプロジェクター装置を得ることができる。
【発明を実施するための最良の形態】
【００１５】
（第１実施形態）以下、本発明の一実施形態を図１および図２に基づいて説明する。図１は、本発明の一実施形態に係るプロジェクター装置の概略構成を示すブロック図、図２は、図１に示すズームポジション調整手段の要部を示す正面図である。
【００１６】
図１に示すプロジェクター装置１は、投射面２に映像を投射する投射レンズ機構３と、この投射レンズ機構３を介して投射面２に映像を表示する表示手段４と、投射面２に投射される映像の画面サイズを入力する入力手段５と、距離測定手段６と、演算手段７と、ズームポジション報知手段８と、を備えている。
【００１７】
投射レンズ機構３は、ズームレンズ３１と、このズームレンズ３１のズームポジションを調整するズームポジション調整手段３２とから構成され、後述する表示部４で得られた映像を、例えば、スクリーンや壁面などからなる投射面２に投射し、投射面２に映像を表示する。ズームポジション調整手段３２としては、例えば、図２に示すように、ダイヤル３３を回転して、ズームレンズ３１を紙面左右に矢印Ｘ方向に移動させることができる。この移動により、投影角度が変化し、プロジェクター装置１から投射面２までの距離（投影距離）との関係で投射面２に映し出される映像の画面サイズが決定される。ダイヤル３３には、後述するズームポジション報知手段８から報知される、例えば、数字などからなり、ズームレンズ３１を移動させる際の目盛り３４（例えば、１、２、３、４、５………）が付され、この目盛り３４を、目印３５に合わせるように構成されている。
【００１８】
また、表示手段４は、ＣＲＴ（陰極線管）またはＬＥＤ（液晶パネル）からなり、図示しない映像信号回路から供給される映像信号を表示する機能を備えている。入力手段５は、本体に併設および／またはリモコン５１などからなり、キーを操作することにより、投射面２に投射する所望の画面サイズ（一般的にインチ単位で表示される）を入力することができる。更に、この入力手段５により、プロジェクター装置１の各種操作を兼ねられるように構成しても良いのは、勿論である。
【００１９】
また、距離測定手段６は、例えば、赤外線や、超音波を用いて、プロジェクター装置１から投射面２までの距離を測定し、この測定結果を演算手段７に出力する。演算手段７は、入力手段５に入力された画面サイズと距離測定手段６により測定された距離の値から、入力された画面サイズに投影するためのズームレンズ３１のズームポジションを演算する。この演算手段７は、作業用のメモリ空間を提供するＲＡＭ７１（Random Access Memory）と、例えば、投影距離と、画面サイズおよびズーム比との関係が格納される不揮発性メモリ７２を備えている。また、この演算手段７は、例えば、プロジェクター装置１を制御する制御手段として機能するように構成し、不揮発性メモリ７２に制御プログラムおよび制御データを格納するようにしてもよいのは、勿論である。
【００２０】
また、ズームポジション報知手段８は、演算手段７により演算されたズームポジションを、例えば、音（音声を含む）や、表示（画像情報や光など）などにより報知する。図示する例では、例えば、スピーカ８１を有し、このスピーカ８１から、例えば、音声で「ズームポジションを“３”に合わせてください。」と報知される。また、例えば、ズームポジションを“３”に合わせる場合には、「ピー、ピー、ピー」と音の回数で、報知するようにしても良い。また、音を出し、ダイヤル３３を回転させて、所定のズームポジションに近づくにつれて、その音が小さくなり、逆に、所定のズームポジションから遠ざかるにつれて、大きくなるようにして、所定のズームポジションになれば、「ピンポン」と、発して調整音が消えるようにしても良いのは、勿論である。更には、演算手段７により演算された結果、投影距離の関係で、ユーザが入力した所望の画面サイズに調整不可能な場合には、警告音や、「投射面２からプロジェクター装置１をもう少し離すか、画面サイズを小さく再設定してください。」などと報知するようにしても良い。
【００２１】
以上の構成による本実施形態により、プロジェクター装置１をセッティングするには、先ず、プロジェクター装置１を希望する場所に設置する。その後、図示しない電源をオンし、しかる後、入力手段５から直接またはリモコン５１を用いて、所望の画面サイズを入力する。これにより、距離測定手段６により、プロジェクター装置１から投射面２までの距離が測定される。演算手段７は、測定された距離の値から、入力された画面サイズに投影するためのズームレンズ３１のズームポジションを演算し、ズームポジション報知手段８からズームレンズ３１のズームポジションを、例えば、「ピー、ピー、ピー」と３回の音で報知される。その後、ユーザは、ダイヤル３３を回転させて、ダイヤル３３に付された目盛り３３の“３”が、目印３５に合うように移動調整する。これにより、所望の画面サイズに対応したズームポジションに、ズームレンズ３１を合わせることができる。その後、必要に応じて、投射面２に投射された映像を見ながら、図示しない、フォーカス調整機構を調整して焦点を合わせればよい。
【００２２】
以上の構成による本実施形態によれば、プロジェクター装置１を希望する場所に設置し、入力手段５から所望の画像サイズを入力すれば、自動的にプロジェクター装置１から投射面２までの距離を距離測定手段６により測定し、この測定された距離の値から、演算手段７は、入力された画面サイズに投影するためのズームレンズ３１のズームポジションを演算し、ズームポジション報知手段８からズームレンズ３１のズームポジションが報知される。従って、ユーザは、この報知されたポジションにズームレンズ３１が移動するように、ズームポジション調整手段８を調整すれば、ユーザが所望する画像サイズに応じた最適なズームポジションに、簡単、かつ、短時間にセッティングできる。しかも、従来のような、ズーム駆動モータやレンズポジション検出手段を必要としないので、その構成は、極めてシンプルで、小型化が可能となり、また、ズーム駆動モータやレンズポジション検出手段を制御するための制御手段が必要でないことから、この種プロジェクター装置１を安価にすることができる。
【００２３】
また、本実施形態によれば、ユーザは、単に、ズームポジション報知手段８から報知された目盛り３４に、ズームポジション調整手段３２を調整すれば良く、その操作は、極めて簡単である。
【００２４】
更に、本実施形態によれば、ユーザは、単に、ズームポジション報知手段８から音、例えば、音声や音の回数で報知された目盛り３４に、ズームポジション調整手段３２の、例えば、ダイヤル３３を調整すれば良く、その操作は、極めて簡単である。
（第２実施形態）
【００２５】
次に、本発明の他の実施形態について図３を参照しながら説明する。図３は、本発明の他の実施形態に係るプロジェクター装置の概略構成を示すブロック図である。なお、図３において、上述した図１および図２と同じ符号を付した部分は、略同一のものを示すため、ここでは詳細な説明は省略する。以下、上述した第１実施形態との相違点を中心に説明する。
【００２６】
本実施形態では、図３に示すプロジェクター装置１は、ズームポジション報知手段８として、演算手段８で演算されたズームポジションを、投射面２に、画像情報で表示して報知するようにしたものである。即ち、ズームポジション報知手段８は、演算手段７により演算されたズームポジションを、例えば、表示手段４に表示信号を出力し、投射レンズ機構３を介して、投射面２に、「ズームポジションを“３”に合わせてください。」など、画像情報で表示して報知する。
【００２７】
以上の構成による本実施形態よれば、上述した第１実施形態と同様の作用効果を奏する他、ユーザは、単に、投射面２に表示された画像情報、例えば、上述の「ズームポジションを“３”に合わせてください。」などといった表示に基づいて、ズームポジション調整手段３２を調整すれば良く、その操作は、極めて簡単である。
（第３実施形態）
【００２８】
次に、本発明の更に他の実施形態について図４および図５を参照しながら説明する。図４は、本発明の更に他の実施形態に係るプロジェクター装置の概略構成を示すブロック図、図５は、図４に示すズームポジション調整手段の要部を示す正面図である。なお、図４および図５において、上述した図１乃至図３と同じ符号を付した部分は、略同一のものを示すため、ここでは詳細な説明は省略する。以下、上述した第１実施形態との相違点を中心に説明する。
【００２９】
本実施形態では、図４に示すプロジェクター装置１は、図５に示すように、目盛り３４に、例えば、発光ダイオードなどの光源３６を備えている。また、ズームポジション報知手段８は、演算手段７で演算されたズームポジションを、目盛り３４の対応する位置の光源３６を点灯または点滅表示して報知するようにしたものである。即ち、図示する例では、ズームポジション報知手段８は、演算手段７により演算されたズームポジション、例えば、ズームポジションを“２”に合わせる場合には、その旨ズームポジション調整手段３２に表示信号を出力し、目盛り３４の、ズームポジションを“２”の光源３６を点灯または点滅表示して報知する。
【００３０】
以上の構成による本実施形態よれば、上述した第１実施形態と同様の作用効果を奏する他、ユーザは、単に、目盛り３４の光源３６が点灯または点滅している位置に、ズームポジション調整手段８を調整すれば良く、その操作は、極めて簡単である。
【００３１】
なお、上述した各実施形態は、本発明の好適な実施例であるが、本発明はこれに限定されるものではなく、本発明の要旨を逸脱しない範囲において、種々変形実施可能である。
【００３２】
例えば、上述した第３実施形態では、目盛り３４と別に光源３６を設けたが、例えば、目盛り３４そのものに光源３６を設け、ズームポジションに対応する目盛り３４を点灯または点滅表示して報知するにしてもよいのは、勿論である。
【図面の簡単な説明】
【００３３】
【図１】本発明の一実施形態に係るプロジェクター装置の概略構成を示すブロック図である。
【図２】図１に示すズームポジション調整手段の要部を示す正面図である。
【図３】本発明の第２実施形態に係るプロジェクター装置の概略構成を示すブロック図である。
【図４】本発明の第３実施形態に係るプロジェクター装置の概略構成を示すブロック図である。
【図５】図４に示すズームポジション調整手段の要部を示す正面図である。
【符号の説明】
【００３４】
１      プロジェクター装置
２      投射面
３      投射レンズ機構
３１    ズームレンズ
３２    ズームポジション調整手段
３３    ダイヤル
３４    目盛り
３５    目印
３６    光源
４      表示手段
５      入力手段
６      距離測定手段
７      演算手段
８      ズームポジション報知手段
【図１】
2008309891.tif 000003
【図２】
2008309891.tif 000004
【図３】
2008309891.tif 000005
【図４】
2008309891.tif 000006
【図５】
2008309891.tif 000007